(57)【要約】蓄電池（３）に接続された電圧変換器（６）へ少なくとも一つの容量性素子（５）を介して接続されており、且つピーク電流で動作する電気機器（１）に電力を供給するための電力供給法であって、電圧変換器は、二つのピークの平均電流に一致する基準電流に基づいて電流調整される。
2004530831.tif 000002
【特許請求の範囲】
【請求項１】
蓄電池（３）に接続された電圧変換器（６）へ少なくとも一つの容量性素子（５）を介して接続されており、且つピーク電流で動作する電気機器（１）に電力を供給するための電力供給法であって、電圧変換器が二つのピークの平均電流に一致する基準電流に基づいて電流調整されることを特徴とする方法。
【請求項２】
平均電流は、機器（１）に対する制御データに基づき、予測的手法で数値が求められることを特徴とする、請求項１による電力供給法。
【請求項３】
基準電流は、求められた平均電流の値に変換器（４）の出力電圧の補正係数を加えたものに等しく、大きくはなるが電圧の上限値よりは小さいものであり、且つ基準電流は、求められた平均電流の値から変換器（４）の出力電圧の補正係数を減じたものに等しく、小さくはなるが電圧の下限値よりは大きいものである、ことを特徴とする請求項２による電力供給法。
【請求項４】
補正係数は、平均電流の数値を求める際の不正確さに対応することを特徴とする、請求項３による電力供給法。
【請求項５】
補正係数が、求められた平均電流の値の約１０％に等しいことを特徴とする、請求項４による電力供給法。
【発明の詳細な説明】
【技術分野】
【０００１】
電気機器、特に自動車のエンジンにおいて弁の始動に使用するのに適した電磁アクチュエータなど、に電力を供給する方法に関する。
【背景技術】
【０００２】
このような電磁アクチュエータは電源回路網内に取り入れられ、其処では、蓄電池及び交流電源へ接続されていて且つ電流制限しつつ電圧調整される電圧変換器に、容量性素子を介して接続される。
【０００３】
この型式の回路網において、電磁アクチュエータは、電圧変換器の出口で回路網から引き出される電流を発生させ、この効果は電圧変換器の入口まで伝達される。このことは、交流電源の応答時間とは両立できない性質のピーク電流を発生させ、交流電源は必要な電流を配電できないので、電流は蓄電池から取り出される。不幸なことに、これらの高振幅ピーク電流は、蓄電池を加熱された状態にして、標準的電池をこのような用途に比較的適さないものにする。
【０００４】
このようなピーク電流は、電圧変換器に伴う容量を増加させることにより濾波できると考えるかもしれない。不幸なことに、このようなピークの振幅と継続時間を考慮に入れると、このような濾波作用は、効果を出すのに大容量のコンデンサを必要とするであろう。低い内部抵抗を有する蓄電池、又は短い応答時間を有する交流電源を使用することも可能であろう。これらの構成要素は、しかしながら比較的高価である。
【発明の開示】
【発明が解決しようとする課題】
【０００５】
本発明の目的は、このような電気機器へ電力を最適に供給するための、費用が掛からず且つ効果的な手段を提供するとである。
【課題を解決するための手段】
【０００６】
この目的のために、本発明は、蓄電池に接続された電圧変換器へ少なくとも一つの容量性素子を介して接続されており、且つピーク電流で動作する電気機器に電力を供給するための電力供給法であって、電圧変換器は、二つのピークの平均電流に一致する基準電流に基づいて電流調整されることを特徴とする方法を提供する。
従って、この様にして電流発生器として制御される電圧変換器の電流調整は、蓄電器によって電圧変換器の入力へ配電される電流を、実質的に一定値に維持することを可能にする。このことは、容量性素子の容量を最小化することを可能にする。
【０００７】
個々の実行に当たっては、平均電流は、アクチュエータの制御データに基づいて予測的手法で数値が求められる。
基準電流は、この様に前もって得ることができる。この方式での計算は、簡単な方法で基準電流を得られるようにし、且つ、調整が高速であることを必要としたり、電流の急激な変化の際にエネルギー源の役割を果たすため大容量を必要としたりするような、周期的に測定される電流を基準値として使用するのを回避できるようにする。
【０００８】
この場合、好都合なことに、基準電流は、求められた平均電流の値に変換器の出力電圧の補正係数を加えたものに等しく、大きくはなるが電圧の上限値よりは小さいものであり、且つ基準電流は、求められた平均電流の値から変換器の出力電圧の補正係数を減じたものに等しく、小さくはなるが電圧の下限値よりは大きいものである。
【０００９】
補正係数は、変換器への電流入力が蓄電池の特性と両立するよう定められた範囲内に保たれ、且つ変換器からの出力における電圧が機器の特性と両立するよう定められた範囲内に保たれるような方式で、決定される。このことは、基準値が計算される頻度を、限定されたものにすることが出来る。
【００１０】
同様に有利なことには、補正係数は、平均電流の数値を求める際の不正確さに対応し、且つ好ましくは、求められた平均電流の値の約１０％に等しい。
補正係数は、求められた平均電流の数値と実際に消費される平均電流との差を相殺するように働く。補正係数は、平均電流の値が実際に消費されるのと同じになる可能性が非常に高くなる、平均電流の範囲をこのように決定することができる。
本発明のその他の特徴や利点は、本発明の制限を加えない特定の実施形態に関する以下の説明を読むと直ちに明らかになる。
【発明を実施するための最良の形態】
【００１１】
本発明の方法において電気機器に電力を供給するために用いられる、電源回路網の図である添付された唯一の図を参照する。
【００１２】
この場合、本発明の方法は、自動車エンジンの弁を始動するのに適した電磁アクチュエータへ電力を供給することを意図している。このようなアクチュエータは、弁を開位置又は閉位置へ動かしたり定位置に保持したりするため少なくとも弁の一つに固定されていて、励起された場合に接極子を引きつける、電磁コイルを具備している。コイルを励起させるのに必要な電流は、励起周波数において大振幅で短時間のピークの形でコイルに配電されなけばならず、励起周波数は、アクセルペダルの踏み込みの程度、エンジンの回転速度、車輌の速度、及び、より一般的にはエンジンの負荷因子、など制御データの関数として、アクチュエータへ供給される電流を決定する車輌制御器によって決められる。
【００１３】
図を参照して、電磁アクチュエータ１は、電圧変換器４に接続されている蓄電池３を備えた電源回路２へ接続される。電池３は、約１２ボルト（Ｖ）の電圧を配電し、再充電するために交流電源（図示されていない）に接続される。電圧変換器４は、１２Ｖの入力電圧を約４２Ｖの出力電圧に変換するよう手配されている。
【００１４】
電圧変換器４は、電圧変換器４により配電されるエネルギーを貯蔵するよう手配されている容量性素子５を介して、電磁アクチュエータ１に接続されている。
【００１５】
本発明の方法は、二つのピーク間の平均電流に対応する基準電流に基づいて、電圧変換器４を電流調整することにある。
平均電流は、蓄電池３の電圧と所定のサイクル時間に消費されるピーク電力とに基づいて、予測的手法で数値が求められる。この電力は、車輌制御器で用いられるアクチュエータ制御データから推定可能な、エンジン速度に依存する。
【００１６】
このような方法で制御される電圧変換器は、将に次のエンジン・サイクルの間に消費されようとしている平均電力に対してサーボ制御される、電流発生器を形成する。
調整は、変換器の入力時の電圧を、変換器からの出力時に測定された電流の関数として変調することにより、従来通り実行される。
【００１７】
変換器からの出力時の電圧は同様に測定され、求められた平均電流値に補正係数を適用するための基準電流を決定する時に使用する目的で、制御器へ配電される。
【００１８】
基準電流は、求められた平均電流の値に変換器の出力電圧の補正係数を加えたものに等しく、大きくなっており且つ電圧の上限値よりは小さいものであり、また基準電流は、求められた平均電流の値から変換器の出力電圧の補正係数を減じたものに等しく、小さくなっており且つ電圧の下限値よりは大きいものである。
【００１９】
この補正係数は、次の電流のピークが現れる瞬間に関する不確定性に、即ち、求められた平均電流値と実際に消費された平均電流の間に起こり得る差異に、対応する。補正係数は、求められた平均電流値の約１０％に等しい。
【００２０】
電圧変換器は電流発生器として制御されるので、変換器からの出力時の電圧は変化する。アクチュエータが電流駆動されるので電圧の変動はほとんど影響がないということを、認めるべきである。それにもかかわらず、これらの変動は、電圧の下限及び上限によって規定される範囲内に設定される。これらの限界値は、対応する電圧範囲がアクチュエータの特性と両立するように、決定される。実施例ということで、もしアクチュエータの特性が３０Ｖから５０Ｖの範囲の電圧でアクチュエータを動作させるものであるならば、下限は約３４Ｖに等しくなるように選ばれ、上限は約４４Ｖに等しくなるように設定される。
【００２１】
勿論、本発明は、説明された実施形態に限定されず、特許請求の範囲により定義された本発明の範囲を逸脱することなく、変形実施形態を考案することが出来る。
特に、基準値は、周期的に測定される電流に基づいて計算されるであろう。補正係数は、説明した実施例では１０％であったが、その値は異なったものでもよいであろう。補正係数無しで済ますことも可能である。
【００２２】
加えて、下限及び上限電圧は変更することが可能で、特に、電力を供給される機器の特性の関数として、両者は互いに更に近接していても、又は更に離れていてもよい。
更に、本発明は、電磁アクチュエータに電力を供給することに限定されず、パルス化された方式で動作する如何なる電気機器に電力を供給するのにも使用可能である。例えば、本発明は、車輌のヘッドライトを点灯する装置に適用してもよいであろう。
【図面の簡単な説明】
【００２３】
【図１】本発明の方法において電気機器に電力を供給するために用いられる、電源回路網の図である。
【国際公開パンフレット】
2004530831.tif 000003
2004530831.tif 000004
2004530831.tif 000005
2004530831.tif 000006
2004530831.tif 000007
2004530831.tif 000008
2004530831.tif 000009
2004530831.tif 000010
2004530831.tif 000011
2004530831.tif 000012
【国際公開パンフレット（コレクトバージョン）】
2004530831.tif 000013
2004530831.tif 000014
【国際調査報告】
2004530831.tif 000015
2004530831.tif 000016
2004530831.tif 000017
2004530831.tif 000018